(57)【要約】【課題】すくい上げ部での原稿すくい上げ時の衝撃を少なくし、安定した原稿画像の読取を行うことのできる画像読取装置及びこれを備えた画像形成装置を提供する。【解決手段】原稿載置部に載置された原稿２０を所定の読取位置２１に搬送して原稿画像を読み取った後、読取位置２１の下流に設けられたすくい上げ部２２Ａにより、画像が読み取られた後の原稿２０をすくい上げながら排紙収納部に向わせるようにする。そして、読取位置２１を通過した原稿２０の先端が当接するすくい上げ部２２Ａのガイド面２２ａの形状を、原稿２０の先端の一部が当接した後、原稿先端の他の部分が徐々に当接して原稿２０をすくい上げるような形状とすることにより、原稿すくい上げ時の衝撃を少なくするようにする。【選択図】      図１
2005008309.tif 000002
【特許請求の範囲】
【請求項１】
原稿載置部に載置された原稿を所定の読取位置に搬送し、前記原稿の画像を読み取る画像読取装置において、
前記画像が読み取られた後、排出される原稿を載置する排紙収納部と、
前記読取位置の下流に設けられ、前記画像が読み取られた後の原稿をすくい上げながら前記排紙収納部に向わせるすくい上げ部と、
を備え、
前記すくい上げ部は、前記読取位置を通過した原稿の先端が当接するガイド面を有し、前記ガイド面は前記原稿の先端の一部が当接した後、原稿先端の他の部分が徐々に当接して前記原稿をすくい上げるような形状を有することを特徴とする画像読取装置。
【請求項２】
前記すくい上げ部のガイド面は、原稿搬送方向と直交する幅方向の隣接する位置での断面形状が異なるように形成されていることを特徴とする請求項１記載の画像読取装置。
【請求項３】
前記すくい上げ部のガイド面は、前記原稿の中央部に当接した後、徐々に前記原稿の両端部に当接して該原稿をすくい上げるよう前記幅方向の高さの低い中央から両端部に向けて対称的に、かつ傾斜が緩やかな形状を有することを特徴とする請求項１記載の画像読取装置。
【請求項４】
前記すくい上げ部のガイド面は、前記原稿の中央部に当接した後、徐々に前記原稿の両端部に当接して該原稿をすくい上げるよう前記幅方向の中央から両端部に向けて対称的に、かつ両端部の立ち上がり部が中央の立ち上がり部よりも原稿搬送方向下流側に位置する形状を有することを特徴とする請求項１記載の画像読取装置。
【請求項５】
前記すくい上げ部のガイド面は、前記原稿の両端部に当接した後、徐々に前記原稿の中央部に当接して該原稿をすくい上げるよう前記幅方向の両端部から中央に向けて対称的に、かつ傾斜が緩やかな形状を有することを特徴とする請求項１記載の画像読取装置。
【請求項６】
前記すくい上げ部のガイド面は、前記幅方向の両端部から中央に向けて対称的に、かつ傾斜が緩やかな湾曲した形状を有することを特徴とする請求項５記載の画像読取装置。
【請求項７】
前記すくい上げ部のガイド面は、前記幅方向の両端部から中央に向けて対称的に、かつ傾斜が緩やかな平面的な形状を有することを特徴とする請求項５記載の画像読取装置。
【請求項８】
前記すくい上げ部のガイド面は、前記原稿の両端部に当接した後、徐々に前記原稿の中央部に当接して該原稿をすくい上げるよう前記幅方向の両端部から中央に向けて対称的に、かつ両端部の立ち上がり部が中央の立ち上がり部よりも原稿搬送方向上流側に位置する形状を有することを特徴とする請求項１記載の画像読取装置。
【請求項９】
前記両端部の立ち上がり部と前記中央の立ち上がり部は円弧状を成していることを特徴とする請求項８記載の画像読取装置。
【請求項１０】
前記両端部の立ち上がり部と前記中央の立ち上がり部は直線状を成していることを特徴とする請求項８記載の画像読取装置。
【請求項１１】
前記すくい上げ部のガイド面は、前記原稿の、前記幅方向の一端部に当接した後、徐々に前記原稿の他端側に当接して該原稿をすくい上げるようひねられた形状を有することを特徴とする請求項１記載の画像読取装置。
【請求項１２】
前記すくい上げ部のガイド面は、前記一端側から他端側まで徐々に傾斜が緩やかとなった形状を有することを特徴とする請求項１１記載の画像読取装置。
【請求項１３】
前記すくい上げ部のガイド面は、原稿搬送方向と直交する幅方向の任意の位置での断面形状が異なるように形成されていることを特徴とする請求項１乃至１２のいずれか１項に記載の画像読取装置。
【請求項１４】
前記請求項１乃至１３のいずれか１項に記載の画像読取装置と、画像形成部とを備えたことを特徴とする画像形成装置。
【発明の詳細な説明】
【０００１】
【発明の属する技術分野】
本発明は、画像読取装置及びこれを備えた画像形成装置に関し、特に原稿画像を流し読み方式により読み取るようにしたものに関する。
【０００２】
【従来の技術】
従来、デジタル複写機、プリンタ、ファクシミリ等の画像形成装置においては、画像形成部と、原稿を読み取る画像読取装置とを備え、画像読取装置により読み取った画像情報に基づいて画像を形成するようにしたものがある。さらに、このような画像形成装置に設けられる画像読取装置としては、自動原稿送り装置を装置本体の上面に開閉自在に備え、自動原稿送り装置により自動搬送された原稿に対し、露光手段を用いて画像の読み取りを行うようにしたものがある。
【０００３】
ところで、従来、このような原稿画像を読み取る方法として、プラテンガラス上の所定の読取位置の下方に露光装置を固定し、この露光装置の上方を、原稿を一定の速度で移動させることにより、画像を読み取る方法（以下、流し読みという）が知られている。
【０００４】
ここで、このような流し読み方式により画像を読み取る画像読取装置としては、例えば略Ｕ字状の原稿搬送路（以下、Ｕターンパスという）を備えたものがある（特許文献１参照）。
【０００５】
図１４は、このようなＵターンパスを備えた画像読取装置の概略構成を示す図であり、同図において、１は画像読取装置本体、２は画像読取装置本体１の上部に取り付けられた自動原稿送り装置である。ここで、この自動原稿送り装置２は画像読取装置本体１の上部に開閉回動自在に取り付けられており、プラテンガラス４に原稿を載置して原稿を読み取る際には、原稿を押えるようになっている。
【０００６】
また、２Ａは自動原稿送り装置２を綴じた際、原稿を押える圧板として作用する装置本体部であり、この装置本体部２Ａの内部には、ＵターンパスＰｕが設けられている。なお、このＵターンパスＰｕの上流端側に接続するように原稿載置トレイ１０が設けられ、ＵターンパスＰｕの下流端側に接続するように装置本体部２Ａの上面の一部により構成される排紙収納部である原稿排出トレイ１６が設けられている。
【０００７】
また、このＵターンパスＰｕの上流部には原稿載置トレイ１０に積載された不図示の原稿の最上位の原稿に当接してこれを送り出す原稿給送手段であるピックアップローラ３０と、ピックアップローラ３０により送り出された原稿を１枚ずつに分離する分離部を構成する分離パット３１及びこの分離パット３１に圧接する分離ローラ３２と、原稿載置トレイ１０に積載された原稿の先端位置を規制する原稿ストッパ３３とが設けられている。さらに、このＵターンパスＰｕの下流端側には、原稿を原稿排出トレイ１６に排出するための原稿排出ローラ対１５が設けられている。
【０００８】
また、同図において、１２，１３は原稿Ｓを搬送するようＵターンパスＰｕに設けられた第１及び第２搬送ローラ対であり、３４はピックアップローラ３０を回転自在に、かつ原稿載置トレイ１４に積載された原稿に接離自在に保持するピックアップアームである。そして、原稿を送り出す際は、このピックアップアーム３４を下方回動させてピックアップローラ３０を原稿に当接させるようにしている。なお、このようにピックアップアーム３４が下方回動すると、原稿ストッパ３３がピックアップアーム１０により押し下げられ、これにより原稿の搬送が可能となる。
【０００９】
７は光源５、ミラー６及びＣＣＤ等の不図示の読取手段を一体化した画像読取部であり、この画像読取部７はプラテンガラス４の下方に左右に移動可能に設けられている。ここで、この画像読取部７は、自動原稿送り装置２から搬送される原稿を流し読みによって読み取る場合は、まず同図に示す位置で停止した状態で、流し読みガラス３を介してランプ等の光源５からの光を搬送される原稿に照射するようにしている。
【００１０】
次に、この原稿からの反射光をミラー６で反射させてＣＣＤ等の読取手段に入射し、この後、この反射光を読取手段によって光電変換することにより、原稿画像を読み取るようにしている。そして、このようにして読み取られた画像は、この後、画像読取装置本体１を上部に備えた画像形成装置１００の不図示の画像形成部により画像形成され、シートに転写されるようになっている。
【００１１】
なお、この画像読取部７は、プラテンガラス４の下方をプラテンガラス４に沿って走査することにより、プラテンガラス４上に載置され、装置本体部２Ａにより押えられた原稿の画像を読み取る、所謂固定読みが可能となっている。
【００１２】
なお、同図において、１７、１８は搬送ガイドであり、Ｕターン経路Ｐｕは、これら搬送ガイド１７，１８及び流し読みガラス３の形状により任意の間隔を持って形成されている。
【００１３】
そして、このような構成の画像読取装置において、操作者が不図示の操作部から読取開始を指示すると、まず不図示の駆動部が回転してピックアップアーム３４が下方回動し、これにより原稿ストッパ３３がピックアップアーム３４により押し下げられる。この後、ピックアップローラ３０が原稿載置トレイ１０に積載された原稿の最上位の原稿に当接し、この最上位の原稿を送り出す。
【００１４】
次に、このようにして送り出された最上位の原稿は原稿ストッパ３３の上面を通り、分離ローラ３２及び分離パット３１によって他の原稿から分離され、この後、ＵターンパスＰｕの内部へと送り込まれる。
【００１５】
次に、このようにＵターンパスＰｕの内部へと送り込まれた原稿は、第１搬送ローラ対１２によってＵターンパスＰｕに沿って搬送され、さらに第２搬送ローラ対１３によって流し読みガラス上に搬送され、流し読みガラス上の読取位置に向う。そして、この後、読取位置を通過する際、画像読取部７により画像情報が読み取られる。
【００１６】
次に、このように画像が読み取られた後、図１５に示すように、原稿２０はすくい上げ部８によりすくい上げられて搬送ガイド１８に沿って原稿排出ローラ対１５に向かい、この原稿排出ローラ対１５によって原稿排出トレイ１６へと排出される。
【００１７】
なお、原稿２０の両面読取を行う際には、この後、画像が読み取られ、排紙ローラ対１５により搬送される原稿２０の後端が反転フラップ２４を通過した直後に、排紙ローラ対１５を停止させると共に、反転フラップ２４を不図示のアクチュエータ（ソレノイド等）により、図１６に示す位置に切り換えるようにする。
【００１８】
そして、このように反転フラップ２４の切り換えを行った後、排紙ローラ対１５を排紙方向と逆方向に回転させることにより、スイッチバック路２３へ原稿２０を誘導し、搬送ローラ対１２まで搬送するようになっている。なお、その後の原稿２０の搬送、読取、排出方法については、前述の片面読取の方法と同様である。
【００１９】
【特許文献１】
特開２０００−５００２５号公報
【００２０】
【発明が解決しようとする課題】
ところで、このような構成の画像読取装置において、Ｕターン経路内の図１５、図１６において符号２１に示す読取位置にて画像読取部７により流し読みが行われるが、このような流し読みが行われた後、読取位置２１の近傍にあるすくい上げ部８に搬送される原稿は、図１７及び図１８に示すように、すくい上げ部８のすくい上げ面８ａの全体に接触するようになる。
【００２１】
ここで、このように原稿２０がすくい上げ面全体に接触すると、言い換えればすくい上げ部８の、原稿２０との当接部８ｂがすくい上げ面全体にわたると、接触の際の衝撃により、原稿２０に速度変動や振動が起こり、これが原因でぶれを起こし、読取精度が落ちる場合があった。
【００２２】
特に、原稿２０の先端がすくい上げ部８に接触して、搬送ローラ対１４に送られるまでの間は、原稿２０を拘束するものがなく、画像の読取ぶれが頻繁に発生していた。なお、この当接によるぶれは、原稿２０のコシ（剛性）による影響が大きく、原稿の種類によりぶれの大きさも様々であった。
【００２３】
又、この当接によるぶれは、画像読取装置が取り付けられる画像形成装置の一例である複写機の印字精度に影響し、例えば６００ｄｐｉの解像度で１画素あたり４２μｍのモノクロ複写機であれば、１〜１．５画素以上でブレ（画像のズレ）が生じると、記録画像に段差、突起等が画像として現れてしまい、悪影響が出てしまっていた。
【００２４】
なお、従来の画像読取装置の構成では読取位置２１と、すくい上げ部８の配置を狭くすることによって装置全体の小型化を計っているため、ブレを抑えるための他の手段を配することはできない。よって、読取位置２１近傍での原稿搬送中の安定性を向上させる為には、すくい上げ部８での原稿の衝撃等の緩和が必要とされていた。
【００２５】
そこで、本発明は、このような現状に鑑みてなされたものであり、すくい上げ部での原稿すくい上げ時の衝撃を少なくし、安定した原稿画像の読取を行うことのできる画像読取装置及びこれを備えた画像形成装置を提供することを目的とするものである。
【００２６】
【課題を解決するための手段】
本発明は、原稿載置部に載置された原稿を所定の読取位置に搬送し、前記原稿の画像を読み取る画像読取装置において、前記画像が読み取られた後、排出される原稿を載置する排紙収納部と、前記読取位置の下流に設けられ、前記画像が読み取られた後の原稿をすくい上げながら前記排紙収納部に向わせるすくい上げ部と、を備え、前記すくい上げ部は、前記読取位置を通過した原稿の先端が当接するガイド面を有し、前記ガイド面は前記原稿の先端の一部が当接した後、原稿先端の他の部分が徐々に当接して前記原稿をすくい上げるような形状を有することを特徴とするものである。
【００２７】
また本発明は、前記すくい上げ部のガイド面は、原稿搬送方向と直交する幅方向の隣接する位置での断面形状が異なるように形成されていることを特徴とするものである。
【００２８】
また本発明は、前記すくい上げ部のガイド面は、前記原稿の中央部に当接した後、徐々に前記原稿の両端部に当接して該原稿をすくい上げるよう前記幅方向の高さの低い中央から両端部に向けて対称的に、かつ傾斜が緩やかな形状を有することを特徴とするものである。
【００２９】
また本発明は、前記すくい上げ部のガイド面は、前記原稿の中央部に当接した後、徐々に前記原稿の両端部に当接して該原稿をすくい上げるよう前記幅方向の中央から両端部に向けて対称的に、かつ両端部の立ち上がり部が中央の立ち上がり部よりも原稿搬送方向下流側に位置する形状を有することを特徴とするものである。
【００３０】
また本発明は、前記すくい上げ部のガイド面は、前記原稿の両端部に当接した後、徐々に前記原稿の中央部に当接して該原稿をすくい上げるよう前記幅方向の両端部から中央に向けて対称的に、かつ傾斜が緩やかな形状を有することを特徴とするものである。
【００３１】
また本発明は、前記すくい上げ部のガイド面は、前記幅方向の両端部から中央に向けて対称的に、かつ傾斜が緩やかな湾曲した形状を有することを特徴とするものである。
【００３２】
また本発明は、前記すくい上げ部のガイド面は、前記幅方向の両端部から中央に向けて対称的に、かつ傾斜が緩やかな平面的な形状を有することを特徴とするものである。
【００３３】
また本発明は、前記すくい上げ部のガイド面は、前記原稿の両端部に当接した後、徐々に前記原稿の中央部に当接して該原稿をすくい上げるよう前記幅方向の両端部から中央に向けて対称的に、かつ両端部の立ち上がり部が中央の立ち上がり部よりも原稿搬送方向上流側に位置する形状を有することを特徴とするものである。
【００３４】
また本発明は、前記両端部の立ち上がり部と前記中央の立ち上がり部は円弧状を成していることを特徴とするものである。
【００３５】
また本発明は、前記両端部の立ち上がり部と前記中央の立ち上がり部は直線状を成していることを特徴とするものである。
【００３６】
また本発明は、前記すくい上げ部のガイド面は、前記原稿の、前記幅方向の一端部に当接した後、徐々に前記原稿の他端側に当接して該原稿をすくい上げるようひねられた形状を有することを特徴とするものである。
【００３７】
また本発明は、前記すくい上げ部のガイド面は、前記一端側から他端側まで徐々に傾斜が緩やかとなった形状を有することを特徴とするものである。
【００３８】
また本発明は、前記すくい上げ部のガイド面は、原稿搬送方向と直交する幅方向の任意の位置での断面形状が異なるように形成されていることを特徴とするものである。
【００３９】
また本発明は、画像形成装置において、上記のいずれかに記載の画像読取装置と、画像形成部とを備えたことを特徴とするものである。
【００４０】
【発明の実施の形態】
以下、本発明の実施の形態について図面を用いて詳細に説明する。
【００４１】
なお、画像読取装置全体の構成等については、前述の従来技術の構成と同一のためその説明は省略する。又、この実施の形態に記載されている構成部品の寸法、材質、形状、その相対的な配置などは特に記載せず、発明の範囲を限定するものではないものとする。
【００４２】
図１は、本発明の第１の実施の形態に係る画像読取装置に設けられた自動原稿搬送装置のすくい上げ部の上視図であり、図２の、（ａ）はその斜視図、（ｂ）はその側面図である。なお、同図において、図１７及び図１８と同一符号は、同一又は相当部分を示している。
【００４３】
図１及び図２において、２２Ａはすくい上げ部であり、このすくい上げ部２２Ａは、読取位置２１を通過した原稿２０の先端が当接するガイド面２２ａを有している。ここで、この斜線で示すガイド面２２ａは、まず原稿２０の中央部に当接した後、徐々に原稿２０の両端部に当接して原稿２０をすくい上げるように、原稿搬送方向と直交する原稿幅方向の、高さの低い中心２２ｄから高さの高い両端部２２ｃに向けて対称的に、かつ傾斜が緩やかな形状を有している。
【００４４】
なお、本発明の実施の形態（他の実施の形態も含む）の説明において、対称的という意味するところは必ずしも対称形状のみを意味するのではなく、対称もしくは概略対称であれば良いことを意味するものである。
【００４５】
そして、このような形状のすくい上げ部２２Ａでは、原稿２０が搬送されてくると、まず原稿２０の先端は、すくい上げ部２２の中心２２ｄに最初に接触し、この後、そのまま原稿２０が搬送されると、ガイド面２２ａの形状により、原稿２０の先端は徐々に両端部２２ｃに接触するようになり、これにより原稿２０は、すくい上げ部２２によって徐々にすくい上げられながら搬送され、既述した図１５に示すように搬送ガイド１８に沿って原稿排出ローラ対１５に向かうことができるようになっている。
【００４６】
このように、先端が当接するすくい上げ部２２Ａのガイド面２２ａの形状を、原稿２０の先端の一部（中央部）が当接した後、原稿先端の他の部分（両端部）に向け徐々に当接して原稿２０をすくい上げるような形状とすることにより、言い換えれば、すくい上げ部２２Ａを、幅方向隣接する位置での断面形状が徐々に異なるように形成することにより、もしくは、幅方向の任意の位置での断面形状が異なるように形成することにより、原稿２０をすくい上げる際、一度に原稿２０の先端がすくい上げ面２２ａ全体に接触する場合に比べて原稿２０に加わる衝撃を少くすることができる。
【００４７】
これにより、原稿２０をすくい上げる際、すくい上げ部２２Ａの上流にある読取位置２１において読取動作が行われている原稿２０の速度変動や振動の発生を抑えることができるようになり、この結果、安定した原稿画像の読取を行うことができ、読取精度を向上させる事ができる。さらに、読取位置２１とすくい上げ部２２Ａが近い場合でも読取精度を向上させることができ、装置全体の小型化にも貢献する事ができる。
【００４８】
なお、本実施の形態の場合、このように読取位置近傍で衝撃を与えずに徐々に原稿２０をすくい上げることにより、画素数換算で０．５画素程度で、ぶれを押えることが可能となり、画像の読取精度を向上させることが可能となった。
【００４９】
ところで、これまでの説明においては、原稿２０の中央部に当接した後、徐々に原稿２０の両端部に当接して原稿をすくい上げるよう、ガイド面２２ａは幅方向の中心２２ｄから両端部２２ｃに向けて対称的に、かつ傾斜が緩やかな形状を有するようにした場合について述べてきたが、図３及び図４のように、すくい上げ部２２Ｂが、中央２２ｄから両端部２２ｃに向けて対称的に、かつ両端部２２ｃの立ち上がり部が中央２２ｄの立ち上がり部よりも原稿搬送方向下流側に位置するような形状を有するようにしても、同様の効果が得ることができる。
【００５０】
次に、本発明の第２の実施の形態について説明する。
【００５１】
図５は本実施の形態に係る画像読取装置に設けられた自動原稿搬送装置のすくい上げ部の上視図である。また、図６の、（ａ）はその斜視図、（ｂ）はその側面図である。なお、図５及び図６において、図１及び図２と同一符号は、同一又は相当部分を示している。
【００５２】
図５及び図６において、２２Ｃはすくい上げ部であり、このすくい上げ部２２Ｃの斜線で示すガイド面２２ａは、両端部２２ｃから中央２２ｄに向けて対称的に、かつ傾斜が緩やかな形状を有している。
【００５３】
そして、このような形状のすくい上げ部２２Ｃでは、原稿２０が搬送されてくると、まず原稿２０の先端は、すくい上げ部２２Ｃの両端部２２ｃに最初に接触し、この後、そのまま原稿２０が搬送されると、ガイド面２２ａの形状により、原稿２０の先端は中央２２ｄに徐々に接触し、これにより原稿２０は徐々にすくい上げられながら搬送されるようになっている。
【００５４】
なお、本実施の形態では、図６に示すようにすくい上げ部２２Ｃのガイド面２２ａの形状を両端部２２ｃから中央２２ｄまでが湾曲している形状としたが、例えば図７及び図８のようにすくい上げ部２２Ｄのガイド面２２ａの形状を両端部２２ｃから中央２２ｄまでが平面的（直線的）な形状としても、同様の効果を得ることができる。
【００５５】
また、図９に示すすくい上げ部２２Ｅように、両端部２２ｃから中央２２ｄに向けて対称的に、かつ両端部２２ｃの立ち上がり部が中央２２ｄの立ち上がり部よりも原稿搬送方向上流側に位置する形状としても、同様の効果を得ることができる。
【００５６】
さらに、同図に示すすくい上げ部２２Ｅは、両端部２２ｃの立ち上がり部と中央２２ｄの立ち上がり部が円弧状を成しているが、図１０に示すすくい上げ部２２Ｆのように両端部２２ｃの立ち上がり部と中央２２ｄの立ち上がり部が直線状を成すようにしても良い。
【００５７】
次に、本発明の第３の実施の形態について説明する。
【００５８】
図１１は本実施の形態に係る画像読取装置に設けられた自動原稿搬送装置のすくい上げ部の上視図である。また、図１２の、（ａ）は、その斜視図、（ｂ）はその側面図である。なお、図１１及び図１２において、図１及び図２と同一符号は、同一又は相当部分を示している。
【００５９】
図１１及び図１２において、２２Ｇはすくい上げ部であり、このすくい上げ部２２Ｇの斜線で示すガイド面２２ａは、原稿２０の一端側と当接した後、徐々に原稿２０の他端側に当接して原稿をすくい上げるよう一方の側端部２２ｃ１から任意の角度を持たせた、ひねられた形状、言い換えれば一端側２２ｃ１から他端側２２ｃ２まで徐々に傾斜が緩やかとなった形状を有するようにしている。
【００６０】
そして、このような形状のすくい上げ部２２Ｇでは、原稿２０が搬送されてくると、まず原稿２０の先端は、すくい上げ部２２Ｇの一方の側端部２２ｃ１に接触し、そのまま原稿２０が搬送されるとすくい上げ面２２ａの形状により、原稿２０は反対側の端部２２ｃ２まで徐々に接触し、これにより原稿２０は徐々にすくい上げられながら搬送されるようになる。
【００６１】
なお、本実施の形態は、これに限らず図１３のように、すくい上げ部２２Ｈの一方の側端部２２ｃ１の立ち上がり部を、他方の側端部２２ｃ２の立ち上がり部よりも原稿搬送方向下流側とするようにしても同様の効果を得ることができる。
【００６２】
【発明の効果】
以上説明したように本発明のように、読取位置を通過した原稿の先端が当接するすくい上げ部のガイド面の形状を、原稿の先端の一部が当接した後、徐々に原稿先端の他の部分に当接して原稿をすくい上げるような形状とすることにより、すくい上げ部での原稿すくい上げ時の衝撃を少なくし、安定した原稿画像の読取を行うことができる。
【図面の簡単な説明】
【図１】本発明の第１の実施の形態に係る画像読取装置に設けられた自動原稿搬送装置のすくい上げ部の上視図。
【図２】上記すくい上げ部の（ａ）は斜視図、（ｂ）は側面図。
【図３】本発明の第１の実施の形態に係る画像読取装置に設けられた自動原稿搬送装置の他のすくい上げ部の上視図。
【図４】上記すくい上げ部の（ａ）は斜視図、（ｂ）は側面図。
【図５】本発明の第２の実施の形態に係る画像読取装置に設けられた自動原稿搬送装置のすくい上げ部の上視図。
【図６】上記すくい上げ部の（ａ）は斜視図、（ｂ）は側面図。
【図７】本発明の第２の実施の形態に係る画像読取装置に設けられた自動原稿搬送装置の他のすくい上げ部の上視図。
【図８】上記すくい上げ部の（ａ）は斜視図、（ｂ）は側面図。
【図９】本発明の第２の実施の形態に係る画像読取装置に設けられた自動原稿搬送装置の他のすくい上げ部の斜視図。
【図１０】本発明の第２の実施の形態に係る画像読取装置に設けられた自動原稿搬送装置の他のすくい上げ部の斜視図。
【図１１】本発明の第３の実施の形態に係る画像読取装置に設けられた自動原稿搬送装置のすくい上げ部の上視図。
【図１２】上記すくい上げ部の（ａ）は斜視図、（ｂ）は側面図。
【図１３】本発明の第３の実施の形態に係る画像読取装置に設けられた自動原稿搬送装置の他のすくい上げ部の斜視図。
【図１４】従来の画像読取装置及びこれを備えた画像形成装置の概略構成を示す図。
【図１５】従来の画像読取装置の画像読取動作の際の状態を示す図。
【図１６】従来の画像読取装置の両面画像読取動作の際の状態を示す図。
【図１７】従来の画像読取装置に設けられた自動原稿搬送装置のすくい上げ部の上視図。
【図１８】上記すくい上げ部の（ａ）は斜視図、（ｂ）は側面図。
【符号の説明】
１          画像読取装置本体
２          自動原稿送り装置
７          画像読取部
１６        原稿排出トレイ
２０        原稿
２２Ａ〜２２Ｈ  すくい上げ部
２１        読取位置
２２ａ      ガイド面
２２ｃ      両端部
２２ｃ１    一方の側端部
２２ｃ２    他端側
２２ｄ      中心
Ｐｕ        Ｕターンパス
１００      画像形成装置
【図１】
2005008309.tif 000003
【図２】
2005008309.tif 000004
【図３】
2005008309.tif 000005
【図４】
2005008309.tif 000006
【図５】
2005008309.tif 000007
【図６】
2005008309.tif 000008
【図７】
2005008309.tif 000009
【図８】
2005008309.tif 000010
【図９】
2005008309.tif 000011
【図１０】
2005008309.tif 000012
【図１１】
2005008309.tif 000013
【図１２】
2005008309.tif 000014
【図１３】
2005008309.tif 000015
【図１４】
2005008309.tif 000016
【図１５】
2005008309.tif 000017
【図１６】
2005008309.tif 000018
【図１７】
2005008309.tif 000019
【図１８】
2005008309.tif 000020